(57)【要約】  時分割複信（ＴＤＤ）アップ／ダウンリンク構成の更新方法及び装置、並びにＴＤＤ再構成情報の通知方法及び装置を提供する。該ＴＤＤアップ／ダウンリンク構成の更新方法は、ユーザ装置（ＵＥ）がネットワーク側から送信されるＴＤＤ再構成情報を受信した（Ｓ２０２）後、受信した前記ＴＤＤ再構成情報で指示されるＴＤＤアップ／ダウンリンク構成を利用する時間帯を直ちに確定し、且つ受信した前記ＴＤＤ再構成情報で指示されるＴＤＤアップ／ダウンリンク構成を前記時間帯内において利用すること、又は、前記ＵＥが前記ネットワーク側から送信される前記ＴＤＤ再構成情報を受信した後、受信した前記ＴＤＤ再構成情報で指示されるＴＤＤアップ／ダウンリンク構成を直ちに利用する（Ｓ２０４）ことを含む。本発明によれば、ＴＤＤアップ／ダウンリンク構成と現在のアップ／ダウンリンクトラフィックとの不整合による、サービス遅延及び／又はリソース浪費の問題を回避することができる。【選択図】図２
2015524221.tif 000002
【特許請求の範囲】
【請求項１】
ユーザ装置（ＵＥ）がネットワーク側から送信されるＴＤＤ再構成情報を受信した後、受信した前記ＴＤＤ再構成情報で指示されるＴＤＤアップ／ダウンリンク構成を利用する時間帯を直ちに確定し、且つ受信した前記ＴＤＤ再構成情報で指示されるＴＤＤアップ／ダウンリンク構成を前記時間帯内に利用するステップ、又は、
前記ＵＥが前記ネットワーク側から送信される前記ＴＤＤ再構成情報を受信した後、受信した前記ＴＤＤ再構成情報で指示されるＴＤＤアップ／ダウンリンク構成を直ちに利用するステップ、
を含むことを特徴とする時分割複信（ＴＤＤ）アップ／ダウンリンク構成の更新方法。
【請求項２】
ＵＥが、受信した前記ＴＤＤ再構成情報で指示されるＴＤＤアップ／ダウンリンク構成を利用する時間帯を直ちに確定するステップは、
前記ＵＥが、受信した前記ＴＤＤ再構成情報で指示されるＴＤＤアップ／ダウンリンク構成を、
次のブロードキャスト制御チャネル（ＢＣＣＨ）変更サイクル内、
前記ＴＤＤ再構成情報で指示される時間帯内、
前記ＴＤＤ再構成情報で指示される時点から受信した新たなＴＤＤ再構成情報で指示される時点までの間、及び、
次のＢＣＣＨ変更サイクルの開始時点から受信した新たなＴＤＤ再構成情報の所属するＢＣＣＨ変更サイクルの終了時点までの間、
の中の１つに利用することを確定するステップ
を含むことを特徴とする請求項１に記載の方法。
【請求項３】
ＵＥがネットワーク側から送信されるＴＤＤ再構成情報を受信するステップは、
前記ＵＥが前記ネットワーク側から送信される、
システム情報ブロックタイプ１（ＳＩＢ１）メッセージ、
前記ＴＤＤ再構成情報のために定義されたＳＩＢメッセージ、
無線リソース制御（ＲＲＣ）再構成メッセージ、及び、
前記ＴＤＤ再構成情報のために定義されたＲＲＣメッセージ、
の中の１つに載せられた前記ＴＤＤ再構成情報を受信する
ことを特徴とする請求項１に記載の方法。
【請求項４】
前記ＴＤＤ再構成情報が、前記ＴＤＤ再構成情報のために定義されたＳＩＢメッセージに載せられた時、
前記ＴＤＤ再構成情報の変更によってシステム情報（ＳＩ）が変更される時、前記ネットワーク側は前記ＳＩＢ１メッセージにおけるシステム情報値ラベルの値を変更しないステップをさらに含む
ことを特徴とする請求項３に記載の方法。
【請求項５】
前記ＴＤＤ再構成情報が、前記ＴＤＤ再構成情報のために定義されたＳＩＢメッセージに載せられた時、ＵＥがネットワーク側から送信されるＴＤＤ再構成情報を受信するステップは、
前記ＵＥが、前記定義したＳＩＢメッセージの変更の指示を含むページングメッセージを受信するステップと、
前記ＵＥが、前記ＳＩＢ１メッセージで指示される、前記ＴＤＤ再構成情報を載せたＳＩＢメッセージとＳＩメッセージとのマッピング関係に基づいて、前記ネットワーク側から送信される、前記ＴＤＤ再構成情報を載せたＳＩＢメッセージを直ちに受信するステップと、
前記ＵＥが前記ＴＤＤ再構成情報を載せたＳＩＢメッセージにおける前記ＴＤＤ再構成情報を読み取るステップと、
を含むことを特徴とする請求項３に記載の方法。
【請求項６】
前記ＴＤＤ再構成情報は、ＴＤＤアップ／ダウンリンク構成識別子、又は１つの無線フレームにおける全てのサブフレームのアップ／ダウンリンク構成、の中の１つを含む
ことを特徴とする請求項１〜５のいずれか一項に記載の方法。
【請求項７】
前記ＴＤＤ再構成情報は、
前記ＴＤＤ再構成情報で指示されるＴＤＤアップ／ダウンリンク構成を利用した開始無線フレーム番号、
前記ＴＤＤ再構成情報で指示されるＴＤＤアップ／ダウンリンク構成を利用した開始無線フレーム番号及び終了無線フレーム番号、
前記ＴＤＤ再構成情報で指示されるＴＤＤアップ／ダウンリンク構成を利用した開始無線フレーム番号及びサブフレーム番号、
前記ＴＤＤ再構成情報で指示されるＴＤＤアップ／ダウンリンク構成を利用した開始無線フレーム番号、終了無線フレーム番号、開始サブフレーム番号、及び終了サブフレーム番号、
前記ＴＤＤ再構成情報で指示されるＴＤＤアップ／ダウンリンク構成の利用サイクル、並びに、
前記ＴＤＤ再構成情報で指示されるＴＤＤアップ／ダウンリンク構成の利用サイクル及びオフセット値、
の中の１つをさらに含む
ことを特徴とする請求項６に記載の方法。
【請求項８】
ＵＥがネットワーク側から送信されるＴＤＤ再構成情報を受信するステップの前、
前記ＵＥが前記ネットワーク側にＵＥ能力を報告すると同時に、前記ＵＥにサポートされるＴＤＤ再構成機能を報告するステップをさらに含む
ことを特徴とする請求項１〜５のいずれか一項に記載の方法。
【請求項９】
ＵＥがネットワーク側から送信されるＴＤＤ再構成情報を受信するステップの前、
前記ネットワーク側が前記ＵＥにオン情報を送信し、前記ＴＤＤ再構成機能をオンにするように前記ＵＥを制御するステップをさらに含む
ことを特徴とする請求項８に記載の方法。
【請求項１０】
ＵＥがネットワーク側から送信されるＴＤＤ再構成情報を受信した後、
前記ネットワーク側が前記ＵＥにオフ情報を送信し、前記ＴＤＤ再構成機能をオフにするように前記ＵＥを制御するステップをさらに含む
ことを特徴とする請求項９に記載の方法。
【請求項１１】
ユーザ装置に位置する時分割複信（ＴＤＤ）アップ／ダウンリンク構成の更新装置であって、
ネットワーク側から送信されるＴＤＤ再構成情報を受信するように設定された受信モジュールと、
前記受信モジュールが前記ＴＤＤ再構成情報を受信した後、受信した前記ＴＤＤ再構成情報で指示されるＴＤＤアップ／ダウンリンク構成を利用する時間帯を直ちに確定し、且つ受信した前記ＴＤＤ再構成情報で指示されるＴＤＤアップ／ダウンリンク構成を前記時間帯内に利用し、又は、前記受信モジュールが前記ＴＤＤ再構成情報を受信した後、受信した前記ＴＤＤ再構成情報で指示されるＴＤＤアップ／ダウンリンク構成を直ちに利用するように設定された実行モジュールと、
を備えることを特徴とする時分割複信（ＴＤＤ）アップ／ダウンリンク構成の更新装置。
【請求項１２】
前記実行モジュールは受信した前記ＴＤＤ再構成情報で指示されるＴＤＤアップ／ダウンリンク構成を、
次のブロードキャスト制御チャネル（ＢＣＣＨ）変更サイクル内、
前記ＴＤＤ再構成情報で指示される時間帯内、
前記ＴＤＤ再構成情報で指示される時点から受信した新たなＴＤＤ再構成情報で指示される時点までの間、及び、
次のＢＣＣＨ変更サイクルの開始時点から受信した新たなＴＤＤ再構成情報の所属するＢＣＣＨ変更サイクルの終了時点までの間、
の中の１つに利用することを確定する
ことを特徴とする請求項１１に記載の装置。
【請求項１３】
前記受信モジュールは、
前記ネットワーク側から送信された、
システム情報ブロックタイプ１（ＳＩＢ１）メッセージ、
前記ＴＤＤ再構成情報のために定義されたＳＩＢメッセージ、
無線リソース制御（ＲＲＣ）再構成メッセージ、
前記ＴＤＤ再構成情報のために定義されたＲＲＣメッセージ、
の中の１つに載せられた前記ＴＤＤ再構成情報を受信するように設定される
ことを特徴とする請求項１１に記載の装置。
【請求項１４】
前記ＴＤＤ再構成情報が、前記ＴＤＤ再構成情報のために定義されたＳＩＢメッセージに載せられた時、前記受信モジュールは、
前記定義したＳＩＢメッセージの変更の指示を含むページングメッセージを受信するように設定された第１受信ユニットと、
前記ＳＩＢ１メッセージで指示される前記ＴＤＤ再構成情報を載せたＳＩＢメッセージとシステム情報（ＳＩ）メッセージとのマッピング関係に基づいて、前記ＴＤＤ再構成情報を載せたＳＩＢメッセージを受信するように設定された第２受信ユニットと、
前記ＴＤＤ再構成情報を載せたＳＩＢメッセージにおける前記ＴＤＤ再構成情報を読み取るように設定された読み取りユニットと、
を備えることを特徴とする請求項１３に記載の装置。
【請求項１５】
ネットワーク側が現在のＴＤＤアップ／ダウンリンク構成を変更する必要があると確定するステップと、
前記ネットワーク側が変更後のＴＤＤアップ／ダウンリンク構成を確定するステップと、
前記ネットワーク側が該セルのＴＤＤ再構成機能を具備するユーザ装置（ＵＥ）に、前記変更後のＴＤＤアップ／ダウンリンク構成を指示する前記ＴＤＤ再構成情報を送信するステップと、
を含むことを特徴とする時分割複信（ＴＤＤ）再構成情報の通知方法。
【請求項１６】
前記ネットワーク側が該セルのＴＤＤ再構成機能を具備するＵＥに前記ＴＤＤ再構成情報を送信するステップは、
前記ネットワーク側が前記ＴＤＤ再構成情報を、
システム情報ブロックタイプ１（ＳＩＢ１）メッセージ、
前記ＴＤＤ再構成情報のために定義されたＳＩＢメッセージ、
無線リソース制御（ＲＲＣ）再構成メッセージ、
前記ＴＤＤ再構成情報のために定義されたＲＲＣメッセージ、
の中の１つに載せて該セルの前記ＵＥに送信するステップを含む
ことを特徴とする請求項１５に記載の方法。
【請求項１７】
前記ＴＤＤ再構成情報が、前記ＴＤＤ再構成情報のために定義されたＳＩＢメッセージに載せられた時、
前記ＴＤＤ再構成情報の変更によってシステム情報が変更される時、前記ネットワーク側は前記ＳＩＢ１メッセージにおけるシステム情報値ラベルの値を変更しないステップをさらに含む
ことを特徴とする請求項１６に記載の方法。
【請求項１８】
前記ＴＤＤ再構成情報は、ＴＤＤアップ／ダウンリンク構成識別子、又は１つの無線フレームにおけるすべてのサブフレームのアップ／ダウンリンク構成、の中の１つを含む
ことを特徴とする請求項１５〜１７のいずれか一項に記載の方法。
【請求項１９】
前記ＴＤＤ再構成情報は、
前記ＴＤＤ再構成情報で指示されるＴＤＤアップ／ダウンリンク構成を利用した開始無線フレーム番号、
前記ＴＤＤ再構成情報で指示されるＴＤＤアップ／ダウンリンク構成を利用した開始無線フレーム番号及び終了無線フレーム番号、
前記ＴＤＤ再構成情報で指示されるＴＤＤアップ／ダウンリンク構成を利用した開始無線フレーム番号及びサブフレーム番号、
前記ＴＤＤ再構成情報で指示されるＴＤＤアップ／ダウンリンク構成を利用した開始無線フレーム番号、終了無線フレーム番号、開始サブフレーム番号、及び終了サブフレーム番号、
前記ＴＤＤ再構成情報で指示されるＴＤＤアップ／ダウンリンク構成の利用サイクル、並びに、
前記ＴＤＤ再構成情報で指示されるＴＤＤアップ／ダウンリンク構成の利用サイクル及びオフセット値、
の中の１つをさらに含む
ことを特徴とする請求項１８に記載の方法。
【請求項２０】
ネットワーク側に位置する時分割複信（ＴＤＤ）再構成情報の通知装置であって、
現在のＴＤＤアップ／ダウンリンク構成を変更する必要があると確定し、且つ変更後のＴＤＤアップ／ダウンリンク構成を確定するように設定された確定モジュールと、
該セルのＴＤＤ再構成機能を具備するユーザ装置（ＵＥ）に、前記変更後のＴＤＤアップ／ダウンリンク構成を指示する前記ＴＤＤ再構成情報を送信するように設定された送信モジュールと、
を備えることを特徴とする時分割複信（ＴＤＤ）再構成情報の通知装置。
【請求項２１】
前記送信モジュールは、前記ＴＤＤ再構成情報を、
システム情報ブロックタイプ１（ＳＩＢ１）メッセージ、
前記ＴＤＤ再構成情報のために定義されたＳＩＢメッセージ、
無線リソース制御（ＲＲＣ）再構成メッセージ、
前記ＴＤＤ再構成情報のために定義されたＲＲＣメッセージ、
の中の１つに載せて該セルの前記ＵＥに送信するように設定された
ことを特徴とする請求項２０に記載の装置。
【発明の詳細な説明】
【技術分野】
【０００１】
本発明は通信分野に関し、具体的には時分割複信（ＴＤＤ）アップ／ダウンリンク構成の更新方法及び装置、並びにＴＤＤ再構成情報の通知方法及び装置に関する。
【背景技術】
【０００２】
従来のロングタームエボリューション（ＬＴＥ、Long Term Evolution）技術、ワイマックス（Ｗｉｍａｘ、Worldwide Interoperability for Microwave Access）、ウルトラモバイルブロードバンド（ＵＭＢ、Ultra Mobile Broadband）システムは、いずれも周波数分割複信（ＦＤＤ、Frequency Division Duplex）方式及び時分割複信（ＴＤＤ、Time Division Duplex）方式の２種類の複信方式を含む。ＦＤＤ方式において、アップリンクとダウンリンクは、異なる周波数帯域で同時にデータ伝送を行うが、ＴＤＤ方式において、アップリンクとダウンリンクは、同一の周波数帯域で時分割してデータ伝送を行う。
【０００３】
無線フレーム（Radio Frame）を単位としてデータ伝送を行う無線システムにおいて、無線エアインターフェース伝送のアップリンクとダウンリンクは、一般的には無線フレームを単位としてデータ伝送を行い、各々の無線フレームは、複数のサブフレーム（Subframe）からなる。ＬＴＥシステムについて、サブフレームは、いずれも直交周波数分割多重化（ＯＦＤＭ、Orthogonal Frequency Division Multiplexing）シンボル（Symbol）を基本単位として、各々の無線フレームは、１０個のサブフレームからなる。
【０００４】
ＦＤＤシステムのアップ／ダウンリンクサブフレームのリソース割り当ては、相対的に比較的独立し、すなわちダウンリンクサブフレームとアップリンクサブフレームに対して、それぞれリソース割り当てを行うことができる。ＴＤＤシステムにおいて、サービスの需要に応じて、所定の比で、無線フレームの複数のサブフレームを、それぞれアップリンクサブフレームとダウンリンクサブフレームに割り当てることができる。通常、ＴＤＤシステムにおいて、アップリンクサブフレーム数とダウンリンクサブフレーム数との比は、異なるサービスタイプのニーズを満たすように、複数の種類がある。異なる領域サービスタイプのニーズに応じて、適切なアップ／ダウンリンクサブフレームの比例構成を選択するのは、ＴＤＤシステムのスペクトル効率の向上に寄与する。例えば、データダウンロードサービスが比較的多い領域に対して、ダウンリンクサブフレーム数が比較的多い構成を選択し、アップロードサービスが比較的多い領域に対して、アップリンクサブフレーム数が比較的多い構成を選択し、アップロード／ダウンロードトラフィックが比較的均等である領域に対して、アップ／ダウンリンクサブフレーム数がほぼ同一である比例構成を選択するようにすることができる。
【０００５】
従来のＬＴＥ  ＴＤＤ（ＴＤ−ＬＴＥと略称される）システムにおいて、ＴＤＤシステムのアップ／ダウンリンク構成に対して７種類の方式が設定され、各々の方式は１つのＴＤＤアップ／ダウンリンク構成識別子と呼ぶことができ、表１の第１列に示される。表１において、１つの無線フレームは１０個のサブフレームを含み、サブフレーム番号がそれぞれ０、１、２、３、４、５、６、７、８及び９と付けられ、「Ｄ」は、該サブフレームがダウンリンクサブフレームであることを表し、「Ｕ」は、該サブフレームがアップリンクサブフレームであることを表し、「Ｓ」は、該サブフレームが特殊サブフレームであること、すなわち、該サブフレームが、ダウンリンク伝送部分、保護間隔及びアップリンク伝送部分を含むことを表す。例えば、ＴＤＤアップ／ダウンリンク構成識別子が１で、すなわちＴＤＤアップ／ダウンリンク構成が１である時、１つの無線フレームにおける、第０、４、５、９号のサブフレームがダウンリンクサブフレームであり、第１、６号のサブフレームが特殊サブフレームであり、第２、３、７、８号のサブフレームがアップリンクサブフレームである。
【０００６】
【表１】
2015524221.tif 000003
【０００７】
表１から解るように、全ての伝送に占める対するダウンリンク伝送の時間百分率は４０％〜９０％であり、このようなアップ／ダウンリンクサブフレームの比例構成を用いるというのは、現在、マルチメディアサービスのダウンリンクデータサービスが、通常、アップリンクデータサービスよりも多いからである。
【０００８】
従来のＬＴＥ技術において、ネットワーク側は、システム情報ブロックタイプ１（ＳＩＢ１、System Information Block Type 1）メッセージに基づいて、該セルのＴＤＤアップ／ダウンリンク構成をブロードキャストする。ＳＩＢ１の伝送サイクルが８０ｍｓであり、セル端ユーザの正確な受信を確保するために、１伝送サイクル内に、同一の伝送を３回繰り返す。
【０００９】
関連技術において、ネットワーク側は、特定の無線フレームでしか、システム情報を変更することができない。図１は、従来のＴＤ−ＬＴＥシステムにおけるシステム情報変更の模式図であり、ｎ番目のブロードキャスト制御チャネル（Broadcast Control Channel、ＢＣＣＨ）変更サイクル、すなわち、ＢＣＣＨ変更サイクル（ｎ）に、縦縞のシャドウタイプで示されるシステム情報が、ｎ＋１番目のＢＣＣＨ変更サイクルに点状のシャドウタイプで示されるシステム情報に変更されようとすると、ネットワーク側は、ＢＣＣＨ変更サイクル（ｎ）時間帯に、あるシステム情報が次のＢＣＣＨ変更サイクルに変更されることを、ユーザ装置（ＵＥ、User Equipment）に通知し、ＵＥが更新されたシステム情報を次のＢＣＣＨ変更サイクルの開始点に受信することを、指示するようにしなければならない。従って、ネットワーク側は、システム情報を変更する必要がある時、ＢＣＣＨ変更サイクルの境界でしか変更することができず、且つ、ページングメッセージによって、ＵＥに、システムメッセージが次のＢＣＣＨ変更サイクルに変更されることを、予め通知しなければならない。しかしながら、この時間帯、アップ／ダウンリンク構成の変更がタイムリーではないことによって、実際のアップ／ダウンリンクサービス比が従来用いられているＴＤＤアップ／ダウンリンクサブフレーム比とマッチングしないことを招く恐れがある。例えば、従来セルがＴＤＤアップ／ダウンリンク構成４を用い、アップ／ダウンリンクサブフレーム比が１：４であり、ある時間帯内においてセル内におけるアップリンクサービスが増加すると、アップリンクサービスがアップリンクリソース不足によって遅延してしまい、且つ、一部のダウンリンクリソースがアイドル状態になり、それによりダウンリンクリソースの浪費を招く恐れがある。
【発明の概要】
【発明が解決しようとする課題】
【００１０】
関連技術が１つのセルに用いられるＴＤＤアップ／ダウンリンク構成を柔軟に調整できないという問題に対して、本発明の実施例は、ＴＤＤアップ／ダウンリンク構成の更新方法及び装置、並びにＴＤＤ再構成情報の通知方法及び装置を提供することにより、少なくとも上記問題を解決する。
【課題を解決するための手段】
【００１１】
本発明の実施例は、時分割複信（ＴＤＤ）アップ／ダウンリンク構成の更新方法を提供し、
ユーザ装置（ＵＥ）が、ネットワーク側から送信されるＴＤＤ再構成情報を受信した後、受信した前記ＴＤＤ再構成情報で指示されるＴＤＤアップ／ダウンリンク構成を利用する時間帯を直ちに確定し、且つ、受信した前記ＴＤＤ再構成情報で指示されるＴＤＤアップ／ダウンリンク構成を、前記時間帯内において利用するステップ、又は、
前記ＵＥが、前記ネットワーク側から送信される前記ＴＤＤ再構成情報を受信した後、受信した前記ＴＤＤ再構成情報で指示されるＴＤＤアップ／ダウンリンク構成を、直ちに利用するステップ、を含む。
【００１２】
選択的に、ＵＥが、受信した前記ＴＤＤ再構成情報で指示されるＴＤＤアップ／ダウンリンク構成を利用する時間帯を直ちに確定するステップは、
前記ＵＥが、受信した前記ＴＤＤ再構成情報で指示されるＴＤＤアップ／ダウンリンク構成を、
次のブロードキャスト制御チャネル（ＢＣＣＨ）変更サイクル内、
前記ＴＤＤ再構成情報で指示される時間帯内、
前記ＴＤＤ再構成情報で指示される時点から、受信した新ＴＤＤ再構成情報で指示される時点までの間、及び、
次のＢＣＣＨ変更サイクルの開始時点から、受信した新ＴＤＤ再構成情報の所属するＢＣＣＨ変更サイクルの終了時点までの間、
の中の１つで利用することを確定するステップ、を含んでもよい。
【００１３】
選択的に、ＵＥが、ネットワーク側から送信されるＴＤＤ再構成情報を受信するステップは、
前記ＵＥが、前記ネットワーク側から送信される、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ
の中の１つに載せられた前記ＴＤＤ再構成情報を受信するステップ、を含んでもよい。
【００１４】
選択的に、前記ＴＤＤ再構成情報が、前記ＴＤＤ再構成情報に対して定義したＳＩＢメッセージに載せられた時、前記方法は、
前記ＴＤＤ再構成情報が変更されることによってシステム情報（ＳＩ）が変更される時、前記ネットワーク側は、前記ＳＩＢ１メッセージにおけるシステム情報値ラベルの値を変更しないステップ、をさらに含んでもよい。
【００１５】
選択的に、前記ＴＤＤ再構成情報が、前記ＴＤＤ再構成情報に対して定義したＳＩＢメッセージに載せられた時、ＵＥが、ネットワーク側から送信されるＴＤＤ再構成情報を受信するステップは、
前記ＵＥが、前記定義したＳＩＢメッセージの変更の指示を含むページングメッセージを受信するステップと、
前記ＵＥが、前記ＳＩＢ１メッセージで指示される前記ＴＤＤ再構成情報を載せたＳＩＢメッセージとＳＩメッセージとのマッピング関係に基づいて、前記ネットワーク側から送信される前記ＴＤＤ再構成情報を載せたＳＩＢメッセージを直ちに受信するステップと、
前記ＵＥが、前記ＴＤＤ再構成情報を載せたＳＩＢメッセージにおける前記ＴＤＤ再構成情報を読み取るステップと、を含んでもよい。
【００１６】
選択的に、前記ＴＤＤ再構成情報は、ＴＤＤアップ／ダウンリンク構成識別子、又は１つの無線フレームにおける全てのサブフレームのアップ／ダウンリンク構成の中の１つを含んでもよい。
【００１７】
選択的に、前記ＴＤＤ再構成情報は、
前記ＴＤＤ再構成情報で指示されるＴＤＤアップ／ダウンリンク構成を利用した開始無線フレーム番号、
前記ＴＤＤ再構成情報で指示されるＴＤＤアップ／ダウンリンク構成を利用した開始無線フレーム番号及び終了無線フレーム番号、
前記ＴＤＤ再構成情報で指示されるＴＤＤアップ／ダウンリンク構成を利用した開始無線フレーム番号及びサブフレーム番号、
前記ＴＤＤ再構成情報で指示されるＴＤＤアップ／ダウンリンク構成を利用した開始無線フレーム番号、終了無線フレーム番号、開始サブフレーム番号、及び終了サブフレーム番号、
前記ＴＤＤ再構成情報で指示されるＴＤＤアップ／ダウンリンク構成の利用サイクル、並びに、
前記ＴＤＤ再構成情報で指示されるＴＤＤアップ／ダウンリンク構成の利用サイクル及びオフセット値、の中の１つを含んでもよい。
【００１８】
選択的に、ＵＥが、ネットワーク側から送信されるＴＤＤ再構成情報を受信するステップの前において、前記方法は、
前記ＵＥが、前記ネットワーク側にＵＥ能力を報告する時、同時に前記ＵＥのサポートするＴＤＤ再構成機能を報告するステップ、をさらに含んでもよい。
【００１９】
選択的に、ＵＥが、ネットワーク側から送信されるＴＤＤ再構成情報を受信するステップの前において、前記方法は、
前記ネットワーク側が、前記ＵＥにオン情報を送信し、前記ＵＥが前記ＴＤＤ再構成機能をオンにするように制御するステップ、をさらに含んでもよい。
【００２０】
選択的に、ＵＥが、ネットワーク側から送信されるＴＤＤ再構成情報を受信するステップの後において、前記方法は、
前記ネットワーク側が、前記ＵＥにオフ情報を送信し、前記ＵＥが前記ＴＤＤ再構成機能をオフにするように制御するステップ、をさらに含んでもよい。
【００２１】
本発明の実施例は、ユーザ装置に位置する時分割複信（ＴＤＤ）アップ／ダウンリンク構成の更新装置をさらに提供し、
ネットワーク側から送信されるＴＤＤ再構成情報を受信するように設定された受信モジュールと、
前記受信モジュールが前記ＴＤＤ再構成情報を受信した後、受信した前記ＴＤＤ再構成情報で指示されるＴＤＤアップ／ダウンリンク構成を利用する時間帯を直ちに確定し、且つ、受信した前記ＴＤＤ再構成情報で指示されるＴＤＤアップ／ダウンリンク構成を前記時間帯内に利用する、又は、前記受信モジュールが前記ＴＤＤ再構成情報を受信した後、受信した前記ＴＤＤ再構成情報で指示されるＴＤＤアップ／ダウンリンク構成を直ちに利用するように設定された実行モジュールと、を備える。
【００２２】
選択的に、前記実行モジュールは、受信した前記ＴＤＤ再構成情報で指示されるＴＤＤアップ／ダウンリンク構成を、
次のブロードキャスト制御チャネル（ＢＣＣＨ）変更サイクル内、
前記ＴＤＤ再構成情報で指示される時間帯内、
前記ＴＤＤ再構成情報で指示される時点から、受信した新ＴＤＤ再構成情報で指示される時点までの間、及び、
次のＢＣＣＨ変更サイクルの開始時点から、受信した新ＴＤＤ再構成情報の所属するＢＣＣＨ変更サイクルの終了時点までの間、の中の１つに使用することを確定してもよい。
【００２３】
選択的に、前記受信モジュールは、前記ネットワーク側から送信される、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ、の中の１つに載せられた前記ＴＤＤ再構成情報を受信するように設定されてもよい。
【００２４】
選択的に、前記ＴＤＤ再構成情報が前記ＴＤＤ再構成情報に対して定義したＳＩＢメッセージに載せられた時、前記受信モジュールは、
前記定義したＳＩＢメッセージの変更の指示を含むページングメッセージを受信するように設定された第１受信ユニットと、
前記ＳＩＢ１メッセージで指示される前記ＴＤＤ再構成情報を載せたＳＩＢメッセージとシステム情報（ＳＩ）メッセージとのマッピング関係に基づいて、前記ＴＤＤ再構成情報を載せたＳＩＢメッセージを受信するように設定された第２受信ユニットと、
前記ＴＤＤ再構成情報を載せたＳＩＢメッセージにおける前記ＴＤＤ再構成情報を読み取るように設定された読み取りユニットと、を備えてもよい。
【００２５】
本発明の実施例は、時分割複信（ＴＤＤ）再構成情報の通知方法をさらに提供し、
ネットワーク側が、現在のＴＤＤアップ／ダウンリンク構成を変更する必要があると確定するステップと、
前記ネットワーク側が、変更後のＴＤＤアップ／ダウンリンク構成を確定するステップと、
前記ネットワーク側が、該セルのＴＤＤ再構成機能を具備するユーザ装置（ＵＥ）に、前記変更後のＴＤＤアップ／ダウンリンク構成を指示する前記ＴＤＤ再構成情報を送信するステップと、を含む。
【００２６】
選択的に、前記ネットワーク側が、該セルのＴＤＤ再構成機能を具備するＵＥに、前記ＴＤＤ再構成情報を送信するステップは、前記ネットワーク側が、前記ＴＤＤ再構成情報を、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ、の中の１つに載せて、該セルの前記ＵＥに送信するステップ、を含んでもよい。
【００２７】
選択的に、前記ＴＤＤ再構成情報が前記ＴＤＤ再構成情報に対して定義したＳＩＢメッセージに載せられた時、前記方法は、
前記ＴＤＤ再構成情報が変更されることによってシステム情報が変更される時、前記ネットワーク側は前記ＳＩＢ１メッセージにおけるシステム情報値ラベルの値を変更しないステップ、をさらに含んでもよい。
【００２８】
選択的に、前記ＴＤＤ再構成情報は、ＴＤＤアップ／ダウンリンク構成識別子、又は１つの無線フレームにおける全てのサブフレームのアップ／ダウンリンク構成の中の１つを含んでもよい。
【００２９】
選択的に、前記ＴＤＤ再構成情報は、
前記ＴＤＤ再構成情報で指示されるＴＤＤアップ／ダウンリンク構成を利用した開始無線フレーム番号、
前記ＴＤＤ再構成情報で指示されるＴＤＤアップ／ダウンリンク構成を利用した開始無線フレーム番号及び終了無線フレーム番号、
前記ＴＤＤ再構成情報で指示されるＴＤＤアップ／ダウンリンク構成を利用した開始無線フレーム番号及びサブフレーム番号、
前記ＴＤＤ再構成情報で指示されるＴＤＤアップ／ダウンリンク構成を利用した開始無線フレーム番号、終了無線フレーム番号、開始サブフレーム番号、及び終了サブフレーム番号、
前記ＴＤＤ再構成情報で指示されるＴＤＤアップ／ダウンリンク構成の利用サイクル、並びに、
前記ＴＤＤ再構成情報で指示されるＴＤＤアップ／ダウンリンク構成の利用サイクル及びオフセット値、の中の１つをさらに含んでもよい。
【００３０】
本発明の実施例は、ネットワーク側に位置する時分割複信（ＴＤＤ）再構成情報の通知装置をさらに提供し、
現在のＴＤＤアップ／ダウンリンク構成を変更する必要があると確定し、且つ変更後のＴＤＤアップ／ダウンリンク構成を確定するように設定された確定モジュールと、
該セルのＴＤＤ再構成機能を具備するユーザ装置（ＵＥ）に、前記変更後のＴＤＤアップ／ダウンリンク構成を指示する前記ＴＤＤ再構成情報を送信するように設定された送信モジュールと、を備える。
【００３１】
選択的に、前記送信モジュールは、前記ＴＤＤ再構成情報を、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ、の中の１つに載せて、該セルの前記ＵＥに送信するように設定されてもよい。
【発明の効果】
【００３２】
本発明の技術的解決手段によれば、ネットワーク側は、ＴＤＤアップ／ダウンリンク構成を変更する必要がある時に、ＴＤＤ再構成情報を送信して、該セルのＵＥに変更後のＴＤＤアップ／ダウンリンク構成を指示することができることにより、ＵＥは、タイムリーに変更後のＴＤＤアップ／ダウンリンク構成を取得して利用することができ、さらにＴＤＤアップ／ダウンリンク構成と現在のアップ／ダウンリンクトラフィックとの不整合によるサービス遅延及び／又はリソース浪費の問題を回避する。
【図面の簡単な説明】
【００３３】
ここで説明される図面は、本発明の技術的解決手段を更に理解するためのものであり、本願の一部を構成し、本発明の模式的実施例及びその説明は、本発明の技術的解決手段を解釈するためのものであり、本発明の技術的解決手段を限定するものではない。図面において、
【図１】図１は、従来のＴＤ−ＬＴＥシステムのシステム情報変更の模式図である。
【図２】図２は、本発明の実施例１に係るＴＤＤアップ／ダウンリンク構成の更新方法のフローチャートである。
【図３】図３は、本発明の実施例２に係るＴＤＤアップ／ダウンリンク構成の更新装置の構成模式図である。
【図４】図４は、本発明の実施例２の好適な実施形態に係るＴＤＤアップ／ダウンリンク構成の更新装置の構成模式図である。
【図５】図５は、本発明の実施例３に係るＴＤＤ再構成情報の通知方法のフローチャートである。
【図６】図６は、本発明の実施例４に係るＴＤＤ再構成情報の通知装置の構成模式図である。
【図７】図７は、本発明の実施例５に係るＴＤＤアップ／ダウンリンク構成更新のフローチャートである。
【図８】図８は、本発明の実施例６に係るＴＤＤアップ／ダウンリンク構成更新のフローチャートである。
【図９】図９は、本発明の実施例７に係るＴＤＤアップ／ダウンリンク構成更新のフローチャートである。
【図１０】図１０は、本発明の実施例８に係るＴＤＤアップ／ダウンリンク構成更新のフローチャートである。
【図１１】図１１は、本発明の実施例９に係るＴＤＤアップ／ダウンリンク構成更新のフローチャートである。
【発明を実施するための形態】
【００３４】
以下、図面及び実施例を参照しながら本発明の技術的解決手段を詳細に説明する。ただし、矛盾が生じない限りにおいて、本願に係る実施例及び実施例における特徴は互いに組み合わせることができる。
【００３５】
実施例１
図２は、本発明の実施例に係るＴＤＤアップ／ダウンリンク構成の更新方法のフローチャートであり、図２に示されるように、該方法は、主として、以下のステップを含んでいる。
【００３６】
ステップＳ２０２； ＵＥは、ネットワーク側（例えば、ＴＤ−ＬＴＥシステムのｅＮＢ）から送信されるＴＤＤ再構成情報を受信する。
【００３７】
本発明の実施例において、ネットワーク側がＴＤＤ再構成情報を送信する方式は、以下の送信方式を含むが、それらに限定されない。
【００３８】
（１） システム情報ブロックタイプ１（System Information Block Type 1、ＳＩＢ１）メッセージに、ＴＤＤ再構成情報を載せる。
（２） 新ＳＩＢ（System Information Block）メッセージに前記ＴＤＤ再構成情報を載せ、すなわち、ＴＤＤ再構成情報に対して、ＴＤＤ再構成情報を載せることを専用にする新ＳＩＢメッセージを定義する。
（３） 無線リソース制御（Radio Resource Control、ＲＲＣ）再構成メッセージに、前記ＴＤＤ再構成情報を載せる。
（４）新ＲＲＣメッセージに前記ＴＤＤ再構成情報を載せ、すなわち、ＴＤＤ再構成情報に対して、ＴＤＤ再構成情報を載せることを専用にする、新ＲＲＣメッセージを定義する。
【００３９】
本発明の実施例の好適な実施形態において、前記ＴＤＤ再構成情報が新たに定義されるＳＩＢメッセージに載せられた時、ＴＤＤ再構成情報が変更されることによってシステム情報（System Information、ＳＩ）が変更される時、ＳＩＢ１メッセージにおけるシステム情報値ラベル（SystemInfo Value Tag）の値を維持する。
【００４０】
本発明の実施例の別の好適な実施形態において、ＴＤＤ再構成情報が新ＳＩＢメッセージに載せられた時、ＵＥにより受信されたページングメッセージが、新ＳＩＢメッセージの変更の指示を含んでいると、ＵＥは、直ちに、ＳＩＢ１メッセージにより与えられる、ＴＤＤ再構成情報を載せた新ＳＩＢメッセージとＳＩメッセージとのマッピング関係に基づいて、新ＳＩＢメッセージを受信して、新ＴＤＤ再構成情報を読み取る。
【００４１】
本発明の実施例の好適な実施形態において、前記ＴＤＤ再構成情報は、ＴＤＤアップ／ダウンリンク構成識別子、例えば、上記表１における７種類のアップ／ダウンリンク構成識別子、又は１つの無線フレームにおける全てのサブフレームのアップ／ダウンリンク構成を含む。それにより、アップ／ダウンリンク構成は、表１における７種類のアップ／ダウンリンク構成に限定されず、ネットワーク側は、新アップ／ダウンリンク構成を定義することができる。
【００４２】
選択的に、前記ＴＤＤ再構成情報は、
（１） ＴＤＤ再構成情報で指示されるサブフレーム構成（すなわちＴＤＤアップ／ダウンリンク構成）を利用した開始無線フレーム番号、
（２） ＴＤＤ再構成情報で指示されるサブフレーム構成を利用した開始無線フレーム番号及び終了無線フレーム番号、
（３） ＴＤＤ再構成情報で指示されるサブフレーム構成を利用した開始無線フレーム番号及びサブフレーム番号、
（４） ＴＤＤ再構成情報で指示されるサブフレーム構成を利用した開始無線フレーム番号、終了無線フレーム番号、開始サブフレーム番号、及び終了サブフレーム番号、
（５） ＴＤＤ再構成情報で指示されるサブフレーム構成の利用サイクル、
（６） ＴＤＤ再構成情報で指示されるサブフレーム構成の利用サイクル及びオフセット値、の中の１つをさらに含んでもよい。
【００４３】
ステップＳ２０４; 前記ＵＥは、前記ＴＤＤ再構成情報を受信した後、受信したＴＤＤ再構成情報で指示されるＴＤＤアップ／ダウンリンク構成を利用する時間帯を直ちに確定し、且つ、受信したＴＤＤ再構成情報で指示されるＴＤＤアップ／ダウンリンク構成を前記時間帯内において利用し、又は、前記ＵＥは、前記ＴＤＤ再構成情報を受信した後、受信したＴＤＤ再構成情報で指示されるＴＤＤアップ／ダウンリンク構成を直ちに利用する。
【００４４】
本発明の実施例の好適な実施形態において、ＵＥにより確定される前記時間帯は、以下のものを含むが、それらに限定されない。
【００４５】
（１） 次のブロードキャスト制御チャネル（Broadcast Control Channel、ＢＣＣＨ）変更サイクル、
（２） 前記ＴＤＤ再構成情報で指示される時間帯、例えば、ＴＤＤ再構成情報で指示される開始無線フレームから、ＴＤＤ再構成情報で指示される終了無線フレームまでの時間帯、
（３） 前記ＴＤＤ再構成情報で指示される時点から、受信した新ＴＤＤ再構成情報で指示される時点までの時間帯、例えば、ＴＤＤ再構成情報で指示される該ＴＤＤ再構成情報のＴＤＤアップ／ダウンリンク構成を利用する開始無線フレームから、受信した新ＴＤＤ再構成情報で指示される該新ＴＤＤ再構成情報のＴＤＤアップ／ダウンリンク構成を利用する開始無線フレームまでの時間帯、
（４） 前記ＴＤＤ再構成情報を受信する時点から、新ＴＤＤ再構成情報を受信する時点までの時間帯、すなわち、ＵＥは、前記ＴＤＤ再構成情報を受信した後、受信したＴＤＤ再構成情報で指示されるＴＤＤアップ／ダウンリンク構成を直ちに利用する時間帯、
（５） 次のＢＣＣＨ変更サイクルから、受信した新ＴＤＤ再構成情報の所属するＢＣＣＨ変更サイクルの終了までの時間帯。
【００４６】
本発明の実施例の好適な実施形態において、ＵＥは、ネットワーク側にＵＥ能力を報告すると同時に、前記ＵＥのサポートするＴＤＤ再構成機能を報告してもよい。
【００４７】
本発明の実施例の好適な実施形態において、ネットワーク側は、ＵＥにオン／オフ情報を送信することにより、ＵＥがＴＤＤ再構成機能をオン／オフすることを制御するようにしてもよい。
【００４８】
本発明の実施例により提供される上記方法によれば、ＵＥは、ネットワーク側の送信するＴＤＤ再構成情報を受信し、且つ該ＴＤＤ再構成情報で指示されるアップ／ダウンリンク構成を適切な時間帯内に利用することができることにより、ＴＤＤの動的構成を実現することができ、ＴＤＤアップ／ダウンリンク構成の変更頻度を増加させ、更にＴＤＤアップ／ダウンリンク構成と現在のアップ／ダウンリンクトラフィックとの不整合によるサービス遅延及び／又はリソース浪費の問題を回避する。且つ、ネットワーク側は、ＴＤＤ再構成情報で１つの無線フレームにおける全てのサブフレームのアップ／ダウンリンク構成を指示することができることにより、柔軟なアップ／ダウンリンク構成を採用することができ、表１に示される７種類のアップ／ダウンリンク構成に限定されない。
【００４９】
実施例２
本実施例は、ＴＤＤアップ／ダウンリンク構成の更新装置を提供し、該装置はユーザ装置に位置し、実施例１に記載の方法を実現することができる。
【００５０】
図３は、本発明の実施例に係るＴＤＤアップ／ダウンリンク構成の更新装置の構成模式図であり、図３に示されるように、該装置は、
ネットワーク側が任意の時点に送信するＴＤＤ再構成情報を受信するように設定された受信モジュール３１０と、
受信モジュール３１０に結合され、受信モジュール３１０が前記ＴＤＤ再構成情報を受信した後、受信した前記ＴＤＤ再構成情報で指示されるＴＤＤアップ／ダウンリンク構成を利用する時間帯を直ちに確定し、且つ受信した前記ＴＤＤ再構成情報で指示されるＴＤＤアップ／ダウンリンク構成を前記時間帯内に利用する、又は、受信モジュール３１０が前記ＴＤＤ再構成情報を受信した後、受信した前記ＴＤＤ再構成情報で指示されるＴＤＤアップ／ダウンリンク構成を直ちに利用するように設定された実行モジュール３３０と、を備える。
【００５１】
本発明の実施例の好適な実施形態において、実行モジュール３３０は、受信した前記ＴＤＤ再構成情報で指示されるアップ／ダウンリンク構成を、
次のブロードキャスト制御チャネル（ＢＣＣＨ）変更サイクル内、
前記ＴＤＤ再構成情報で指示される時間帯内、
前記ＴＤＤ再構成情報で指示される時点から、受信した新ＴＤＤ再構成情報で指示される時点までの間、及び、
次のＢＣＣＨ変更サイクルの開始時点から、受信した新ＴＤＤ再構成情報の所属するＢＣＣＨ変更サイクルの終了時点までの間、の中の１つに利用することを確定する。
【００５２】
本発明の実施例の好適な実施形態において、受信モジュール３１０は、前記ネットワーク側が任意の時点に送信する、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ、の中の１つに載せられた前記ＴＤＤ再構成情報を受信するように設定されてもよい。
【００５３】
本発明の実施例の好適な実施形態において、前記ＴＤＤ再構成情報が前記ＴＤＤ再構成情報に対して定義したＳＩＢメッセージに載せられた時、図４に示されるように、受信モジュール３１０は、
前記定義したＳＩＢメッセージの変更の指示を含むページングメッセージを受信するように設定された第１受信ユニット３１２と、
第１受信ユニット３１２に結合され、前記ＳＩＢ１メッセージで指示される前記ＴＤＤ再構成情報を載せたＳＩＢメッセージと、システム情報（ＳＩ）メッセージとのマッピング関係に基づいて、前記ＴＤＤ再構成情報を載せたＳＩＢメッセージを受信するように設定された第２受信ユニット３１４と、
第２受信ユニット３１４に結合され、前記ＴＤＤ再構成情報を載せたＳＩＢメッセージにおける前記ＴＤＤ再構成情報を読み取るように設定された読み取りユニット３１６と、を備える。
【００５４】
本発明の実施例の好適な実施形態において、ＴＤＤ再構成情報に載せられた情報は実施例１の通りであってもよく、その詳細についての重複する説明は省略する。
【００５５】
実施例３
本発明の実施例は、ＴＤＤ再構成情報の通知方法を提供し、該方法はネットワーク側に用いられ、実施例１により提供される方法と組み合わせて用いることができる。
【００５６】
図５は、本発明の実施例に係るＴＤＤ再構成情報の通知方法のフローチャートであり、図５に示されるように、該方法は、主として、以下のステップを含んでいる。
【００５７】
ステップＳ５０２; ネットワーク側が、現在のＴＤＤアップ／ダウンリンク構成を変更する必要があること確定し、且つ変更後のＴＤＤアップ／ダウンリンク構成を確定する。
【００５８】
具体的な実施過程において、ネットワーク側は、オペレータが長時間帯にわたり統計したデータ、ネットワーク側で既知の現在のアップ／ダウンリンク伝送待ちサービスデータ量及びその他の戦略的要素などに基づいて、現在のＴＤＤアップ／ダウンリンク構成を変更する必要があるか否かを判定し、及び変更後のアップ／ダウンリンク構成を確定してもよい。
【００５９】
ステップＳ５０４; ネットワーク側が、該セルのＴＤＤ再構成機能を具備するＵＥに、変更後のＴＤＤアップ／ダウンリンク構成を指示するＴＤＤ再構成情報を送信する。
【００６０】
その中、ＴＤＤ再構成機能を具備するＵＥとは、ネットワーク側がＳＩＢ１メッセージによってブロードキャストする該セルのＴＤＤアップ／ダウンリンク構成だけでなく、ネットワーク側から送信されるＴＤＤ再構成情報で指示されるＴＤＤアップ／ダウンリンク構成を利用することができるＵＥを意味する。
【００６１】
本発明の実施例において、ネットワーク側がＴＤＤ再構成情報を送信する方式は、ブロードキャスト方式及び専用シグナリング方式の２種類がある。その中、専用シグナリング方式で送信されるターゲットは、ＴＤＤ再構成機能を具備するＵＥであり、ブロードキャスト方式で送信すると、ＴＤＤ再構成機能を具備するＵＥだけはＴＤＤ再構成情報を受信する。
【００６２】
本発明の実施例の好適な実施形態において、ネットワーク側は、前記ＴＤＤ再構成情報を、
（１） システム情報ブロックタイプ１（ＳＩＢ１）メッセージ、
（２） 前記ＴＤＤ再構成情報に対して定義したＳＩＢメッセージ、
（３） 無線リソース制御（ＲＲＣ）再構成メッセージ、
（４） 前記ＴＤＤ再構成情報に対して定義したＲＲＣメッセージ、の中の１つに載せて、該セルのＵＥに送信してもよい。
【００６３】
本発明の実施例の好適な実施形態において、前記ＴＤＤ再構成情報が前記ＴＤＤ再構成情報に対して定義したＳＩＢメッセージに載せられた時、前記方法は、前記ＴＤＤ再構成情報が変更されることによってシステム情報が変更される時、前記ネットワーク側は、前記ＳＩＢ１メッセージにおけるシステム情報値ラベルの値を変更しないことを、さらに含む。それにより、システム情報の３時間の有効期限内においてＴＤＤアップ／ダウンリンク構成の変更回数が限定されない。
【００６４】
本発明の実施例の好適な実施形態において、前記ＴＤＤ再構成情報は、ＴＤＤアップ／ダウンリンク構成識別子、例えば、上記表１における７種類のアップ／ダウンリンク構成識別子、又は１つの無線フレームにおける全てのサブフレームのアップ／ダウンリンク構成を含む。それにより、アップ／ダウンリンク構成は、表１における７種類のアップ／ダウンリンク構成に限定されず、ネットワーク側は、新アップ／ダウンリンク構成を定義することができる。
【００６５】
選択的に、前記ＴＤＤ再構成情報は、
（１） ＴＤＤ再構成情報で指示されるサブフレーム構成（すなわちＴＤＤアップ／ダウンリンク構成）を利用した開始無線フレーム番号、
（２） ＴＤＤ再構成情報で指示されるサブフレーム構成を利用した開始無線フレーム番号及び終了無線フレーム番号、
（３） ＴＤＤ再構成情報で指示されるサブフレーム構成を利用した開始無線フレーム番号及びサブフレーム番号、
（４） ＴＤＤ再構成情報で指示されるサブフレーム構成を利用した開始無線フレーム番号、終了無線フレーム番号、開始サブフレーム番号、及び終了サブフレーム番号、
（５） ＴＤＤ再構成情報で指示されるサブフレーム構成の利用サイクル、
（６） ＴＤＤ再構成情報で指示されるサブフレーム構成の利用サイクル及びオフセット値、の中の１つをさらに含んでもよい。
【００６６】
本発明の実施例の好適な実施形態において、ネットワーク側は、ＵＥがネットワーク側にＵＥ能力を報告すると同時に、報告する前記ＵＥのサポートするＴＤＤ再構成機能を受信してもよい。
【００６７】
本発明の実施例の好適な実施形態において、ネットワーク側は、ＵＥにオン／オフ情報を送信することによって、ＵＥがＴＤＤ再構成機能をオン／オフすることを制御するようにしてもよい。
【００６８】
本発明の実施例により提供される上記方法によれば、ネットワーク側は、ＴＤＤアップ／ダウンリンク構成を変更する必要がある時にＴＤＤ再構成情報を送信し、該セルのＵＥに、変更後のＴＤＤアップ／ダウンリンク構成を指示することができることにより、ＵＥは、現在に利用されているＴＤＤアップ／ダウンリンク構成をタイムリーに取得することができ、更にＴＤＤアップ／ダウンリンク構成と現在のアップ／ダウンリンクトラフィックとの不整合によるサービス遅延及び／又はリソース浪費の問題を回避できる。
【００６９】
実施例４
本発明の実施例は、ＴＤＤ再構成情報の通知装置を提供し、該装置はネットワーク側に位置し、実施例３に記載の方法を実現することができる。
【００７０】
図６は、本発明の実施例に係るＴＤＤ再構成情報の通知装置の構成模式図であり、図６に示されるように、該装置は、主として、
現在のＴＤＤアップ／ダウンリンク構成を変更する必要があることを確定し、及び変更後のＴＤＤアップ／ダウンリンク構成を確定するように設定された確定モジュール６１０と、
確定モジュール６１０に結合され、該セルのＴＤＤ再構成機能を具備するユーザ装置ＵＥに、変更後のＴＤＤアップ／ダウンリンク構成を指示するＴＤＤ再構成情報を送信するように設定された送信モジュール６２０と、を備える。
【００７１】
本発明の実施例の好適な実施形態において、送信モジュール６２０は、前記ＴＤＤ再構成情報を、
システム情報ブロックタイプ１（ＳＩＢ１）メッセージ、
前記ＴＤＤ再構成情報に対して定義したＳＩＢメッセージ、
無線リソース制御（ＲＲＣ）再構成メッセージ、及び、
前記ＴＤＤ再構成情報に対して定義したＲＲＣメッセージ、の中の１つに載せて、該セルのＵＥに送信するように設定される。
【００７２】
本実施例において、送信モジュール６２０により送信されるＴＤＤ再構成情報は、実施例３に記載の情報を含んでもよく、その詳細についての重複する説明は省略する。
【００７３】
以下の実施例については、ＴＤ−ＬＴＥシステムを例として説明する。
【００７４】
実施例５
図７は、本実施例に係るＴＤＤアップ／ダウンリンク構成更新のフローチャートであり、図７に示されるように、本実施例において、ＵＥが行うＴＤＤアップ／ダウンリンク構成更新は、主として、以下のステップを含んでいる。
【００７５】
ステップＳ７０２; ＵＥが受信したページングメッセージには、システム情報変更情報要素が含まれる。
【００７６】
ＲＲＣアイドル状態（ＲＲＣ_ＩＤＬＥ）及びＲＲＣ接続状態（ＲＲＣ_ＣＯＮＮＥＣＴＥＤ）のＵＥが、ページング（Paging）メッセージを受信する時、受信したＰａｇｉｎｇメッセージにシステム情報変更（SystemInfo Modification）情報要素（Information Element、ＩＥ）が含まれると、次のＢＣＣＨ変更サイクル（以下、変更サイクルと略称する）においてシステム情報が変更されることを示す。従って、ＵＥは、受信したＰａｇｉｎｇメッセージに次ぐ変更サイクルの境界からシステム情報を再受信する必要があり、アイドル状態のＵＥは、マスター情報ブロック（ＭＩＢ、Master Information Block）及びＳＩＢ１〜ＳＩＢ８を受信する必要があり、接続状態のＵＥは、ＭＩＢ、ＳＩＢ１、ＳＩＢ２及びＳＩＢ８を受信する必要がある。
【００７７】
ステップＳ７０４; ＵＥが、ＳＩＢ１メッセージを受信し、ＳＩＢ１メッセージにおけるＴＤＤ再構成情報を読み取る。
【００７８】
ＵＥがネットワークに入る時、又はＵＥに記憶されたシステム情報が所定の有効期限（例えば、３時間）を超える時、ステップＳ７０２がなくても、ＵＥは、相変わらずシステムメッセージを読み取ることができる。ＵＥは、ＴＤＤ再構成情報を受信する必要がある時、例えば、ＵＥがネットワークに入る時、及び／又はＵＥが接続状態に入る時、及び／又はＵＥがネットワーク側から送信されるＴＤＤ再構成機能をオンする指示を受信した後、及び／又はＵＥがネットワークにアクセスされる時、及び／又はＵＥがシステム情報変更を指示するＰａｇｉｎｇメッセージを受信した後、及び／又は記憶されたシステム情報が無効になった後、ＵＥは、ＴＤＤ再構成情報を読み取ってもよい。さらに、ＵＥは、各変更サイクル又は各ＳＩＢ１の送信時点に、ＳＩＢ１メッセージを受信して、ＳＩＢ１メッセージにおけるＴＤＤ再構成情報を読み取ってもよい。アイドル状態及び／又は接続状態のＵＥが、ＳＩＢ１メッセージを受信する時、ＳＩＢ１メッセージにＴＤＤ再構成情報が含まれると、前記ＵＥは、ＴＤＤ再構成情報を読み取る。前記ＴＤＤ再構成情報は、ＴＤＤアップ／ダウンリンク構成識別子、又は１つの無線フレームにおける全てのサブフレームのアップ／ダウンリンク構成を含む。
【００７９】
ＴＤＤアップ／ダウンリンク構成識別子は、表１の左列に与えられる０〜６のうちの１つである。
【００８０】
１つの無線フレームにおける全てのサブフレームのアップ／ダウンリンク構成は、表示方式によって、ＵＥに１つの無線フレームの１０個のサブフレームがそれぞれどのタイプであるかを通知する。例えば、長さが２０ビットのｂｉｔｍａｐを用い、２ビットが１つのサブフレームを示し、０１がアップリンクサブフレーム、１０がダウンリンクサブフレーム、１１が特殊サブフレーム、を示し、又は、長さが１０の文字列を用い、それぞれ異なる文字で、アップリンクサブフレーム、ダウンリンクサブフレーム、及び特殊サブフレームを示す。それにより、実際の需要を満たすように、アップ／ダウンリンクサブフレームの比を柔軟に設定することができる。
【００８１】
本実施例の好適な実施形態において、前記ＴＤＤ再構成情報は、
ＴＤＤ再構成情報で指示されるサブフレーム構成を利用した開始無線フレーム番号、
ＴＤＤ再構成情報で指示されるサブフレーム構成を利用した開始無線フレーム番号及び終了無線フレーム番号、
ＴＤＤ再構成情報で指示されるサブフレーム構成を利用した開始無線フレーム番号及びサブフレーム番号、
ＴＤＤ再構成情報で指示されるサブフレーム構成を利用した開始無線フレーム番号、終了無線フレーム番号、開始サブフレーム番号、及び終了サブフレーム番号、
ＴＤＤ再構成情報で指示されるサブフレーム構成の利用サイクル、並びに、
ＴＤＤ再構成情報で指示されるサブフレーム構成の利用サイクル及びオフセット値、の中の１つをさらに含んでもよい。
【００８２】
ステップＳ７０６; ＵＥが、受信したＴＤＤ再構成情報で指示されるサブフレーム構成を利用する。
【００８３】
ＵＥが、ＴＤＤ再構成情報の受信を成功した後、ＴＤＤ再構成情報で指示されるサブフレーム構成の利用時間帯を確定する必要があり、前記時間帯は、以下の時間帯の中のいずれか１つであってもよい。
【００８４】
１. ＵＥが、前記ＴＤＤ再構成情報の変更サイクルを受信した後に次ぐ、次の変更サイクル内において、前記ＴＤＤ再構成情報のサブフレーム構成を利用する。ＴＤＤ再構成情報のサイクルが変更サイクルと同一である時、ＵＥは、各変更サイクルにＳＩＢ１におけるＴＤＤ再構成情報を読み取り、指示されるサブフレーム構成を確定し、且つ次の変更サイクル内に前記サブフレーム構成を利用し、同時に次の変更サイクルに新ＳＩＢ１メッセージにおける新ＴＤＤ再構成情報を読み取るようにすればよい。
【００８５】
従来のプロトコルのフローに基づいて、ＳＩＢ１メッセージが変更される時、ネットワーク側は、ＰａｇｉｎｇメッセージによってＵＥに通知する必要があることにより、選択的に、ネットワーク側は、各変更サイクルにＰａｇｉｎｇメッセージによってＵＥにシステム情報変更を通知してもよく、それにより、従来のＬＴＥプロトコル定義に合致するが、欠点は、シグナリングオーバーヘッドが比較的大きく、ＵＥの電力消費量も比較的大きいことにある。
【００８６】
２. ＵＥが、前記ＴＤＤ再構成情報で指示される時間内において前記ＴＤＤ再構成情報のサブフレーム構成を利用する。
ＴＤＤ再構成情報は、
ａ) ＴＤＤ再構成情報で指示されるサブフレーム構成を利用した開始無線フレーム番号及び終了無線フレーム番号、又は、
ｂ) ＴＤＤ再構成情報で指示されるサブフレーム構成を利用した開始無線フレーム番号Ｎ１、開始サブフレーム番号Ｍ１、終了無線フレーム番号Ｎ２、及び終了サブフレーム番号Ｍ２、又は、
ｃ) ＴＤＤ再構成情報で指示されるサブフレーム構成の利用サイクルＴ、又は、
ｄ) ＴＤＤ再構成情報で指示されるサブフレーム構成の利用サイクルＴ及びオフセット値ｏｆｆｓｅｔ、
を含んでもよく、
ａ)の場合では、ＵＥは、開始無線フレーム番号（ＳＦＮ、Start radio Frame Number）で示される無線フレームの＃０サブフレームから、終了無線フレーム番号で示される無線フレームの終了まで、ＴＤＤ再構成情報で指示されるサブフレーム構成を利用し、
ｂ)の場合では、ＵＥは、無線フレームＮ１のＭ１番号のサブフレームから、無線フレームＮ２のＭ２番号のサブフレームの終了まで、ＴＤＤ再構成情報で指示されるサブフレーム構成を利用し、
ｃ)の場合では、ＴがＴＤＤ再構成サイクルであり、ＵＥは、ＳＦＮ  ｍｏｄ  Ｔ＝０の無線フレームから、ＳＦＮ  ｍｏｄ  Ｔ＝Ｔ−１の無線フレームの終了まで、ＴＤＤ再構成情報で指示されるサブフレーム構成を利用し、ｍｏｄが剰余演算子であり、
ｄ)の場合では、ＵＥは、（ＳＦＮ＊１０＋ｓｕｂｆｒａｍｅ  ｎｕｍｂｅｒ）ｍｏｄ  Ｔ＝ｏｆｆｓｅｔの無線フレームのサブフレームから、（ＳＦＮ＊１０＋ｓｕｂｆｒａｍｅ  ｎｕｍｂｅｒ）ｍｏｄ  Ｔ＝ｏｆｆｓｅｔ−１の無線フレームのサブフレームの終了まで、ＴＤＤ再構成情報で指示されるサブフレーム構成を利用し、又は、ＵＥは、ＳＦＮ  ｍｏｄ  Ｔ＝ｏｆｆｓｅｔの無線フレームから、ＳＦＮ  ｍｏｄ  Ｔ＝ｏｆｆｓｅｔ−１の無線フレームの終了まで、ＴＤＤ再構成情報で指示されるサブフレーム構成を利用し、ｓｕｂｆｒａｍｅ  ｎｕｍｂｅｒがサブフレーム番号である。
【００８７】
３. 前記ＴＤＤ再構成情報で指示される時間から、受信した新ＴＤＤ再構成情報で指示される時間までの時間帯。
ＴＤＤ再構成情報は、
ａ) ＴＤＤ再構成情報で指示されるサブフレーム構成を利用した開始無線フレーム番号Ｎ、又は、
ｂ) ＴＤＤ再構成情報で指示されるサブフレーム構成を利用した開始無線フレーム番号Ｎ及びサブフレーム番号Ｍ、又は、
ｃ) ＴＤＤ再構成情報で指示されるサブフレーム構成の利用サイクルＴ、又は、
ｄ) ＴＤＤ再構成情報で指示されるサブフレーム構成の利用サイクルＴ及びオフセット値ｏｆｆｓｅｔ
を含んでもよく、
ａ)の場合では、ＵＥは、ＳＦＮ＝Ｎの無線フレームの＃０サブフレームから、ＵＥが受信した新ＴＤＤ再構成情報で与えられる時間まで、前記ＴＤＤ再構成情報で指示されるサブフレーム構成を利用し、
ｂ)の場合では、ＵＥは、ＳＦＮ＝Ｎの無線フレームのＭ番目のサブフレームから、ＵＥが受信した新ＴＤＤ再構成情報で与えられる時間まで、前記ＴＤＤ再構成情報で指示されるサブフレーム構成を利用し、
ｃ)の場合では、ＵＥは、ＳＦＮ  ｍｏｄ  Ｔ＝０の無線フレームから、ＵＥが受信した新ＴＤＤ再構成情報で与えられる時間まで、ＴＤＤ再構成情報で指示されるサブフレーム構成を利用し、
ｄ)の場合では、ＵＥは、（ＳＦＮ＊１０＋ｓｕｂｆｒａｍｅ  ｎｕｍｂｅｒ）  ｍｏｄ  Ｔ＝ｏｆｆｓｅｔの無線フレームのサブフレームから、ＵＥが受信した新ＴＤＤ再構成情報で与えられる時間まで、ＴＤＤ再構成情報で指示されるサブフレーム構成を利用し、又は、ＵＥは、ＳＦＮ  ｍｏｄ  Ｔ＝ｏｆｆｓｅｔの無線フレームから、ＵＥが受信した新ＴＤＤ再構成情報で与えられる時間まで、ＴＤＤ再構成情報で指示されるサブフレーム構成を利用する。
【００８８】
４.ＵＥは、前記ＴＤＤ再構成情報を受信する時点から新ＴＤＤ再構成情報を受信する時点まで、前記再構成情報のサブフレーム構成を利用する。ＵＥは、前記ＴＤＤ再構成情報を正確に復号化して、指示されるサブフレーム構成を確定した後、ＵＥが新ＴＤＤ再構成情報を正確に復号化して、新サブフレーム構成を確定するまで、前記サブフレーム構成を直ちに利用する。
【００８９】
５. 次のＢＣＣＨ変更サイクルから、受信した新ＴＤＤ再構成情報の所属するＢＣＣＨ変更サイクルの終了までの時間帯。
ＵＥが受信したＴＤＤ再構成情報の所属する変更サイクルに次ぐ、次の変更サイクルの開始から、ＵＥが受信した新ＴＤＤ再構成情報の所属する変更サイクルの終了まで、ＴＤＤ再構成情報で指示されるサブフレーム構成を利用する。
【００９０】
実施例６
図８は、本実施例に係るＴＤＤアップ／ダウンリンク構成更新のフローチャートであり、図８に示されるように、本実施例において、ＵＥが行うＴＤＤアップ／ダウンリンク構成更新は、主として、以下のステップを含んでいる。
【００９１】
ステップＳ８０２; ＵＥが、ＴＤＤ再構成情報変更指示を含むページングメッセージを受信する。
【００９２】
ＵＥが受信したページングメッセージにＴＤＤ再構成情報変更指示が含まれると、ＵＥは、即刻、ＳＩＢ１メッセージで指示される、ＴＤＤ再構成情報を載せた新ＳＩＢメッセージと、システム情報（System Information、ＳＩ）メッセージとのマッピング関係に基づいて、ＴＤＤ再構成情報を載せた新ＳＩＢメッセージの受信を開始する必要がある。
【００９３】
ステップＳ８０４; ＵＥが、ＴＤＤ再構成情報を載せた新ＳＩＢメッセージを受信し、その中のＴＤＤ再構成情報を読み取る。
【００９４】
ＵＥは、ＴＤＤ再構成情報を受信する必要がある時、例えば、ＵＥがネットワークに入る時、及び／又はＵＥが接続状態に入る時、及び／又はＵＥがネットワーク側から送信されるＴＤＤ再構成機能をオンする指示を受信した後、及び／又はＵＥがネットワークにアクセスする時、及び／又はＵＥがＴＤＤ再構成情報変更指示を含むＰａｇｉｎｇメッセージを受信した後、及び／又は記憶されるシステム情報が無効になった後、ＵＥは、ＴＤＤ再構成情報を読み取ってもよい。さらに、アイドル状態及び／又は接続状態のＵＥは、各変更サイクル、又はＴＤＤ再構成情報を載せた新ＳＩＢメッセージの可能な各送信時点に、ＴＤＤ再構成情報を載せた新ＳＩＢメッセージを受信してもよい。前記ＴＤＤ再構成情報は、ＴＤＤアップ／ダウンリンク構成識別子、又は１つの無線フレームにおける全てのサブフレームのアップ／ダウンリンク構成を含む。
【００９５】
ＴＤＤアップ／ダウンリンク構成識別子は、表１の左列に与えられる０〜６の中の１つである。１つの無線フレームにおける全てのサブフレームのアップ／ダウンリンク構成は、表示方式によって、ＵＥに、１つの無線フレームの１０個のサブフレームがそれぞれどのタイプであるかを通知する。例えば、長さが２０ビットのｂｉｔｍａｐを用い、２ビットが１つのサブフレームを示し、０１がアップリンクサブフレーム、１０がダウンリンクサブフレーム、１１が特殊サブフレームを示し、又は長さが１０の文字列を用い、それぞれ異なる文字で、アップリンクサブフレーム、ダウンリンクサブフレーム、及び特殊サブフレームを示す。
【００９６】
前記ＴＤＤ再構成情報は、
ＴＤＤ再構成情報で指示されるサブフレーム構成を利用した開始無線フレーム番号、
ＴＤＤ再構成情報で指示されるサブフレーム構成を利用した開始無線フレーム番号及び終了無線フレーム番号、
ＴＤＤ再構成情報で指示されるサブフレーム構成を利用した開始無線フレーム番号及びサブフレーム番号、
ＴＤＤ再構成情報で指示されるサブフレーム構成を利用した開始無線フレーム番号、開始サブフレーム番号、終了無線フレーム番号、及び終了サブフレーム番号、
ＴＤＤ再構成情報で指示されるサブフレーム構成の利用サイクル、並びに、
ＴＤＤ再構成情報で指示されるサブフレーム構成の利用サイクル及びオフセット値、の中のいずれか１つをさらに含んでもよい。
【００９７】
ステップＳ８０６; ＵＥが、受信したＴＤＤ再構成情報で指示されるサブフレーム構成を利用する。
【００９８】
本ステップは、実施例５のステップＳ７０６と同一であり、ここでは、重複する説明は省略する。
【００９９】
実施例７
図９は、本実施例に係るＴＤＤアップ／ダウンリンク構成更新のフローチャートであり、図９に示されるように、本実施例において、ＵＥが行うＴＤＤアップ／ダウンリンク構成更新は、主として、以下のステップを含んでいる。
【０１００】
ステップＳ９０２; ｅＮＢが、ＵＥに、ＴＤＤ再構成情報を送信する。
【０１０１】
ＴＤＤ再構成情報をＲＲＣ専有シグナリングに載せることができる。例えば、ＲＲＣ接続再構成（ＲＲＣ、Connection Reconfiguration）メッセージにＴＤＤ再構成メッセージを載せ、又は、従来のプロトコルに１つの新ＲＲＣシグナリングを追加して、ＴＤＤ再構成情報を転送する。ｅＮＢは、ＵＥに、ＲＲＣ接続再構成メッセージ又は新ＲＲＣシグナリングを送信することにより、ＵＥに、ＴＤＤ再構成情報を通知する。
【０１０２】
ステップＳ９０４; ＵＥが、ＴＤＤ再構成情報で指示されるサブフレーム構成を利用する。
【０１０３】
本ステップは、実施例５のステップＳ７０６と同一であり、ここでは、重複する説明は省略する。
【０１０４】
実施例８
図１０は、本実施例に係るＴＤＤアップ／ダウンリンク構成更新のフローチャートであり、図１０に示されるように、本実施例において、ＵＥが行うＴＤＤアップ／ダウンリンク構成更新は、主として、以下のステップを含んでいる。
【０１０５】
ステップＳ１００２; ＵＥは、それ自体が動的ＴＤＤ構成をサポートする能力を具備することを報告する。
【０１０６】
ＵＥは、ネットワークにアクセスする時、非アクセス層（Non Access Stratum、ＮＡＳ）メッセージによって、それ自体がＴＤＤ構成をサポートする能力を具備することをネットワークに通知し、及び／又はネットワーク側から送信されるＵＥ能力を要求するシグナリングを受信する時、ネットワーク側にそれ自体のＴＤＤ再構成をサポートする能力を報告する。
【０１０７】
ステップＳ１００４; ネットワーク側は、ＵＥに、ＴＤＤ再構成機能オン情報を送信して、ＵＥのＴＤＤ再構成機能をオンする。
【０１０８】
ネットワーク側は、それ自体の能力に基づいて、ＵＥのＴＤＤ再構成機能をオンすることを決定し、且つ、ＵＥにＴＤＤ再構成機能オン情報を送信して、ＵＥのＴＤＤ再構成機能をオンする。
【０１０９】
あるネットワークは、それ自体がＴＤＤ再構成機能をサポートしない可能性があるので、ＵＥは、ＴＤＤ再構成情報を受信するためにチャネルを連続的にリスニングする可能性があり、それによってＵＥの電力消費は比較的大きくなる可能性があり、従って、ネットワーク側は、ＵＥがＴＤＤ再構成機能をオンするか否かを制御する必要があり、ネットワーク側がＵＥにオン指示を送信しないと、ＵＥはＴＤＤ再構成情報を受信する必要がない。ネットワークは、後続で、それ自体の容量などの要因に基づいて、前記ＵＥのＴＤＤ再構成機能をオフすることを選択してもよく、ＵＥにオフ指示を送信すればよい。前記オン／オフ指示を、システム情報又はＲＲＣ専用シグナリングに載せてもよい。
【０１１０】
ステップＳ１００６; ＵＥが、ＴＤＤ再構成情報を受信する。
【０１１１】
本ステップは、上記実施例５、６及び７の記載の通りに実行可能であり、ここでは、重複する説明は省略する。
【０１１２】
ステップＳ１００８; ＵＥが、ＴＤＤ再構成情報で指示されるサブフレーム構成を利用する。
【０１１３】
本ステップは、実施例５のステップＳ７０６と同一であり、ここでは、重複する説明は省略する。
【０１１４】
実施例９
図１１は、本実施例に係るＴＤＤアップ／ダウンリンク構成更新のフローチャートであり、図１１に示されるように、本実施例において、ＵＥが行うＴＤＤアップ／ダウンリンク構成更新は、主として、以下のステップを含んでいる。
【０１１５】
ステップＳ１１０２; ＵＥが、ＴＤＤ再構成をサポートする能力を具備することを報告する。
【０１１６】
本ステップは、実施例８のステップＳ１００２と同一であり、重複する説明は省略する。
【０１１７】
ステップＳ１１０４; ＵＥが、ＴＤＤ再構成情報を受信する。
【０１１８】
本ステップは、実施例８のＳ１００６と同一であり、重複する説明は省略する。
【０１１９】
ステップＳ１１０６; ＵＥが、ＴＤＤ再構成情報で指示されるサブフレーム構成を利用する。
【０１２０】
本ステップは、実施例５のステップＳ７０６と同一であり、ここでは、重複する説明は省略する。
【０１２１】
ステップＳ１１０８; ネットワーク側が、ＵＥにＴＤＤ再構成機能オフ情報を送信して、ＵＥのＴＤＤ再構成機能をオフする。
【０１２２】
ネットワーク側は、それ自体の能力に基づいて、ＵＥのＴＤＤ再構成機能をオフすることを決定し、且つ、ＵＥにＴＤＤ再構成機能オフ情報を送信して、ＵＥのＴＤＤ再構成機能をオフする。
【０１２３】
本発明の実施例において、ＴＤＤ再構成を利用する長所の１つは、ネットワークスループットを向上させることであり、ＵＥがＴＤＤ再構成情報を連続的に受信すると、ＵＥが接続状態に入って、ネットワーク側と通信する時、即刻、最適なサブフレーム構成を利用することを確保することができ、ネットワークスループットの向上に比較的大きく寄与する。従って、ＵＥがネットワークにアクセスしてからＴＤＤ再構成情報の受信を試み、ネットワーク側から送信されるオフ指示を受信するまで終了する。後続して、ネットワーク側は、それ自体の能力に基づいて、ＵＥのＴＤＤ再構成機能をオンする必要があると、ＵＥにオン指示を送信すればよい。
【０１２４】
ステップＳ１１１０; ＵＥが、ＴＤＤ再構成情報におけるサブフレーム構成を利用せず、ＴＤＤ再構成情報を受信しない。
【０１２５】
ＵＥが、ネットワーク側から送信されるオフ指示を受信した後、受信したＴＤＤ再構成情報におけるサブフレーム構成を利用せず、ＳＩＢ１メッセージで指示されるＴＤＤアップ／ダウンリンク構成を利用し、すなわち、ＵＥは、ＴＤＤ再構成機能を具備しない従来のＵＥと同一のＴＤＤ構成を利用する。ＵＥも、ＴＤＤ再構成情報を受信しない。前記オン／オフ指示を、システム情報又はＲＲＣ専用シグナリングに載せてもよい。
【０１２６】
上記の説明からわかるように、上記の１つ又は複数の実施例によって、ＵＥは、ネットワーク側が任意の時点に送信するＴＤＤ再構成情報を受信し、且つ該ＴＤＤ再構成情報で指示されるアップ／ダウンリンク構成を適切な時間帯内に利用することができることにより、ＴＤＤの動的構成を実現することができ、ＴＤＤアップ／ダウンリンク構成の変更頻度を増加させ、更にＴＤＤアップ／ダウンリンク構成と現在のアップ／ダウンリンクトラフィックの不整合によるサービス遅延及び／又はリソース浪費の問題を回避する。且つ、ネットワーク側はＴＤＤ再構成情報に１つの無線フレームにおける全てのサブフレームのアップ／ダウンリンク構成を指示することができることにより、柔軟なアップ／ダウンリンク構成を採用することができ、表１に示される７種類のアップ／ダウンリンク構成に限定されない。
【０１２７】
勿論、当業者は、上記の本発明の各モジュール又は各ステップは、汎用コンピュータ装置によって実現可能であり、それらを１つのコンピュータ装置に集積してもよく、複数のコンピュータ装置から構成されるネットワークに分散してもよく、選択的に、それらはコンピュータ装置により実行可能なプログラムコードで実現されてもよいことにから、記憶装置に記憶してコンピュータ装置により実行されてもよく、且つ必要に応じて、示される又は説明されるステップがこことは異なる順序で実行されてもよく、それらをそれぞれ各集積回路モジュールに作製して、又はそれらのうちの複数のモジュール又はステップを１つの集積回路モジュールに作製して実現してもよい、と理解すべきである。このように、本発明の実施例は、いずれの特定のハードウェアとソフトウェアとの結合にも限定しない。
【０１２８】
上記は本発明の好適な実施例であり、本発明の技術的解決手段を限定するものではなく、当業者は、本発明の実施例に対してさまざまな変更や変形を行うことができると理解すべきである。本発明の趣旨及び原則を逸脱せずに行われた変更、等価置換、改良などは、いずれも本発明の保護範囲に属する。
【産業上の利用可能性】
【０１２９】
本発明の技術的解決手段によれば、ネットワーク側は、ＴＤＤアップ／ダウンリンク構成を変更する必要がある時に、ＴＤＤ再構成情報を送信し、該セルのＵＥに変更後のＴＤＤアップ／ダウンリンク構成を指示することができることにより、ＵＥは、変更後のＴＤＤアップ／ダウンリンク構成をタイムリーに取得し、且つ変更後のＴＤＤアップ／ダウンリンク構成を利用することができ、更にＴＤＤアップ／ダウンリンク構成と現在のアップ／ダウンリンクトラフィックとの不整合によるサービス遅延及び／又はリソース浪費の問題を回避する。
【図１】
2015524221.tif 000004
【図２】
2015524221.tif 000005
【図３】
2015524221.tif 000006
【図４】
2015524221.tif 000007
【図５】
2015524221.tif 000008
【図６】
2015524221.tif 000009
【図７】
2015524221.tif 000010
【図８】
2015524221.tif 000011
【図９】
2015524221.tif 000012
【図１０】
2015524221.tif 000013
【図１１】
2015524221.tif 000014
【国際調査報告】
2015524221.tif 000015
2015524221.tif 000016
2015524221.tif 000017
2015524221.tif 000018